(57)【要約】【課題】地震、降雨などにより発生した天然ダムの上流側の貯水池に貯留される貯水を、その下流側の低地にサイフォン作用により、確実に、迅速に排水して災害事故の発生を未然に防止するようにした。【解決手段】  天然ダム１の頂部に排水制御ユニットＵ１を、貯水池２に吸入部ユニットＵ２を、低地２に排水部ユニットＵ３をそれぞれ配置し、排水制御ユニットＵ１を介して吸入部ユニットＵ２と排水部ユニットＵ３間を接続ホースＨで接続し、排水制御ユニットＵ１の制御によりサイフォン作用を成立させ、貯水池２の貯水を低地３に排水する。【選択図】    図１
2014163202.tif 000002
【特許請求の範囲】
【請求項１】
天然ダム（１）の上流側の貯水池（２）の貯水を、該天然ダム（１）の下流側の低地（３）に排水するサイフォン式排水システムであって、
前記天然ダム（１）の頂部に設置される排水制御ユニット（Ｕ１）と、前記貯水池（２）の水面上に浮遊し、水位を検出可能な吸入部ユニット（Ｕ２）と、前記低地（３）に設置される、吐出弁（Ｖ２）を有する排水部ユニット（Ｕ３）と、前記排水制御ユニット（Ｕ１）に支持されて、前記吸入部ユニット（Ｕ２）と排水部ユニット（Ｕ３）とを連通する接続ホース（Ｈ）とより構成され、
前記排水制御ユニット（Ｕ１）は、駆動源（１４）と、これにより駆動される真空ポンプ（１５）と、該真空ポンプ（１５）と前記接続ホース（Ｈ）とを連通する吸込回路（２１）と、該吸込回路（２１）の満水を検知する満水検知器（１６）とを備え、
前記吸入部ユニット（Ｕ２）の水位検出により、前記駆動源（１４）を起動して前記真空ポンプ（１５）を作動すると共に該真空ポンプ（１５）の入口弁（Ｖ１）および前記排水部ユニット（Ｕ３）の吐出弁（Ｖ２）を閉弁し、以後、入口弁（Ｖ１）の開弁により前記貯水池（２）の貯水の吸入を開始し、前記満水検知器（１６）の満水検知により、前記入口弁（Ｖ１）を閉弁すると共に前記吐出弁（Ｖ２）を開弁してサイフォン作用の成立後に、前記駆動源（１４）の作動を停止して前記貯水池（２）の貯水を、前記吸入部ユニッ（Ｕ２）、接続ホース（Ｈ）および排水部ユニット（Ｕ３）を通して連続的に外部に排水するようにしたことを特徴とする、サイフォン式排水システム。
【請求項２】
前記排水制御ユニット（Ｕ１）は、前記駆動源（１４）、前記真空ポンプ（１５）、前記満水検知器（１６）、前記吸込回路（２１）および各種の機器を作動制御する制御盤（１８）を収容した密閉状の筐体（１０）を備え、該筐体（１０）の外部側面に、ジョイントパイプ（２５）が設けられ、該ジョイントパイプ（２５）により、前記接続ホース（Ｈ）を支持したことを特徴とする、前記請求項１に記載のサイフォン式排水システム。
【請求項３】
前記ジョイントパイプ（２５）は、複数系統の接続ホース（Ｈ）をそれぞれ支持すべく複数本よりなり、それらのジョイントパイプ（２５）は、前記筐体（１０）の左右両側壁の外面にそれぞれ対称的に設けられることを特徴とする、前記請求項２に記載のサイフォン式排水システム。
【請求項４】
前記排水制御ユニット（Ｕ１）、前記吸入部ユニット（Ｕ２）および前記排水部ユニット（Ｕ３）は、いずれもポータブル式であって、その上面に空輸手段により吊り下げ輸送するための吊下具（１２；３６；４２）を備えていることを特徴とする、前記請求項１に記載のサイフォン式排水システム。
【請求項５】
前記吸入部ユニット（Ｕ２）は、フロート（３１）により前記貯水池（２）の貯水面上の浮遊され、またその吸込口は、メッシュ部材よりなるフィルタ（３３）により囲まれていることを特徴とする、前記請求項１又は４に記載のサイフォン式排水システム。
【発明の詳細な説明】
【技術分野】
【０００１】
本発明は、地震、降雨などにより発生した天然ダム（河道閉塞）の上流側に生成される貯水池（湛水部）に貯留される貯水を、その下流側の低地にサイフォン作用により排水するようにした、新規なサイフォン式排水システムに関する。
【背景技術】
【０００２】
地震、降雨などに起因した大規模な土砂の崩落により天然ダム（河道閉塞）が発生した場合に、その天然ダムの上流側に生成される貯水池（貯水池）の水位が異常に上昇して天然ダムの堰から水が溢れ始めると、その堰の土砂が一気に決壊して、崩落した土砂が土石流となってその下流側の低地に流れ込み、その低地にある集落を襲い、甚大な事故を生起する虞れがあり、早急に貯水池の貯水の安全な場所への排水作業を行なうことが要求される。
【０００３】
そこで、従来では現場に、排水ポンプ、これを稼働するための発電機などの排水設備を設置して排水作業を行なうようにしている。
【０００４】
ところが、天然ダムの発生地点までの進入道路が寸断されていることが想定されるため排水ポンプや発電機などは、ヘリコプターなどの空輸手段により空輸する必要があって、それらの容量、重量には自ずから限界があって、短時間での大容量の排水は、事実上困難であり、また排水ポンプを稼働させるための発電機には燃料を補給し続ける必要があり、燃料を補給し続けるための燃料の輸送に手間がかかり、また排水ポンプ内に土砂や塵埃が詰まり易く、排水の中断や排水ポンプの故障が多く、さらに、現場への輸送手段、据付作業により、搬送可能な機材の寸法や重量に制限があるため所望の排水能力を確保するのが難しいという問題があった。
【発明の概要】
【発明が解決しようとする課題】
【０００５】
本発明は、かかる実情に鑑みてなされたものであり、従来の排水ポンプおよび発電機の使用を廃止し、現場に迅速、容易に設置が可能であり、所望の排水能力を即座に確保できるようにして、従来の問題を解決できるようにした、新規なサイフォン式排水システムを提供することを目的とする。
【課題を解決するための手段】
【０００６】
上記目的を達成するため、請求項１の発明は、天然ダムの上流側の貯水池の貯水を、該天然ダムの下流側の低地に排水するサイフォン式排水システムであって、
前記天然ダムの頂部に設置される排水制御ユニットと、前記貯水池の水面上に浮遊し、水位を検出可能な吸入部ユニットと、前記低地に設置される、吐出弁を有する排水部ユニットと、前記排水制御ユニットに支持されて、前記吸入部ユニットと排水部ユニットとを連通する接続ホースとより構成され、
前記排水制御ユニットは、駆動源と、これにより駆動される真空ポンプと、該真空ポンプと前記接続ホースとを連通する吸込回路と、該吸込回路の満水を検知する満水検知器とを備え、
前記吸入部ユニットの水位検出により、前記駆動源を起動して前記真空ポンプを作動すると共に該真空ポンプの入口弁および前記排水部ユニットの吐出弁を閉弁し、以後、入口弁の開弁により前記貯水池の貯水の吸入を開始し、前記満水検知器の満水検知により、前記入口弁を閉弁すると共に前記吐出弁を開弁してサイフォン作用の成立後に、前記駆動源の作動を停止して前記貯水池の貯水を、前記吸入部ユニット、接続ホースおよび排水部ユニットを通して連続的に外部に排水するようにしたことを特徴としている。
【０００７】
上記目的達成のため、請求項２の発明は、前記請求項１のものにおいて、前記排水制御ユニットは、前記駆動源、前記真空ポンプ、前記満水検知器、前記吸込回路および各種の機器を作動制御する制御盤を収容した密閉状の筐体を備え、該筐体の外部側面に、ジョイントパイプが設けられ、該ジョイントパイプにより、前記接続ホースを支持したことを特徴としている。
【０００８】
上記目的達成のため、請求項３の発明は、前記請求項２のものにおいて、前記ジョイントパイプは、複数系統の接続ホースをそれぞれ支持すべく複数本よりなり、それらのジョイントパイプは、前記筐体の左右両側壁の外面にそれぞれ対称的に設けられることを特徴としている。
【０００９】
上記目的達成のため、請求項４の発明は、前記請求項１のものにおいて、前記排水制御ユニット、前記吸入部ユニットおよび前記排水部ユニットは、いずれもポータブル式であって、その上面に空輸手段により吊り下げ輸送するための吊下具を備えていることを特徴としている。
【００１０】
上記目的達成のため、請求項５の発明は、前記請求項１または４のものにおいて、前記吸入部ユニットは、フロートにより前記貯水池の貯水面上の浮遊され、またその吸込口は、メッシュ部材よりなるフィルタにより囲まれていることを特徴としている。
【発明の効果】
【００１１】
請求項各項の発明によれば、従来の大型で大重量の、排水ポンプや発電機を用いることなく、サイフォン作用を成立させるために必要な小型、軽量な発動発電機などの駆動源および真空ポンプを備えた排水システムにより、天然ダムの上流側の貯水をその下流側の低地に、迅速、容易かつ的確に効率良く排水することができる。
【００１２】
請求項２の発明によれば、前記排水制御ユニットは、ユニット化されて簡単に天然ダムの頂部に設置することができ、外部からの動力を必要とすることなく、吸入部ユニットおよび排水部ユニットを制御して自動的にサイフォン作用を成立させて、貯水池の貯水を低地へと排水することができ、また、接続ホースを排水制御ユニットにより支持して、排水制御ユニットにより素早く接続ホースに吸入作用を及ぼすことができ、サイフォン作用を迅速、確実に成立させることができる。
【００１３】
請求項３の発明によれば、前記ジョイントパイプは、複数系統の接続ホースをそれぞれ支持すべく複数本よりなり、それらのジョイントパイプは、前記筐体の左右両側壁の外面に対称的にそれぞれ設けたので、複数系統の接続ホースをバランスよく支持することができる。
【００１４】
請求項４の発明によれば、前記排水制御ユニット、前記吸入部ユニットおよび前記排水部ユニットは、いずれもポータブル式であって、その上面に空輸手段により吊り下げ輸送することができるので、現場までの進入道路が寸断されていても、難なく所定の場所に配置することができる。
【００１５】
請求項５の発明によれば、吸入部ユニットは、フロートにより貯水池の貯水面上の浮遊され、またその吸込口は、フィルタにより囲まれているので、粗大塵埃や流木などの異物を吸い込むことがなく、また水底の土砂を吸い込むことがなく、貯水の吸入作用を何らの支障もなく行なうことができる。
【図面の簡単な説明】
【００１６】
【図１】サイフォン式排水システムの全体側面図
【図２】図１の２矢視の排水制御ユニットの、一部破断平面図
【図３】図２の３矢視図
【図４】図２の４−４線に沿う断面図
【図５】図１の５矢視の吸入部ユニットの平面図
【図６】図５の６−６線に沿う断面図
【図７】図１の７矢視の排水部ユニットの平面図
【図８】図７の８−８線に沿う断面図
【図９】サイフォン式排水システムの制御ブロック図
【発明を実施するための形態】
【００１７】
本発明の実施の形態を、添付図面に基づいて以下に具体的に説明する。
【００１８】
以下の説明において、排水する水の流れ方向を基準として、水の流れ方向の上流側を「前」、その下流側を「後」、水の流れ方向に対して左右を「左右」、水の流れ方向に対して上下を「上下」とする。
【００１９】
図１に示すように、本発明に係るサイフォン式排水システムは、地震または降雨に起因した大規模な土砂の崩落により発生した天然ダム（河道閉塞）１の頂部に設置される排水制御ユニットＵ１と、天然ダム１の上流側に生成された貯水池（湛水部）２に浮遊配置される吸入部ユニットＵ２と、天然ダム１の下流側の低地３に設置される排水部ユニットＵ３と、前記排水制御ユニットＵ１に支持されて、前記吸入部ユニットＵ２と前記排出部ユニットＵ３とを連通接続する、４系統の接続ホースＨ…とを備え、前記貯水池２の貯水を、サイフォン作用により前記低地３に、連続自動的に迅速、確実に排水するようにされる。
【００２０】
次に、図２〜４を参照して、排水制御ユニットＵ１の構成について説明する。
【００２１】
前記天然ダム１の頂部に設置される排水制御ユニットＵ１は、ポータブル式であって、アルミ合金により直方体状に形成される筐体１０を備え、この筐体１０は、筐体本体１０ａと、その出入口を封緘部材１３を介して閉じる蓋板１０ｂとより密閉状に形成され、その筐体１０内に、後述の各種の機器が収容される。筐体１０の底部には、高さ調整可能な複数のベースジャッキ１１が設けられ、またその上面には、この筐体１０を吊り下げケーブルにより吊り下げてヘリコプターなどの空輸手段により空中輸送するための吊下具１２が設けられる。
【００２２】
筐体１０内には、本発明に係るサイフォン式排水システムを作動制御するための種々の機器がユニット化されて収容されており、すなわち、駆動源としてのポータブル式発動発電機１４、その発動発電機１４の電力により駆動される真空ポンプ１５、後述する吸込回路２１の満水状態を検知する、満水検出センサＳ２を備えた満水検知器１６、種々の機器を作動制御する蓄電器１７付きの制御盤１８が設けられ、さらに、前記真空ポンプ１５の吸入口を、満水検知器１６を介して接続ホースＨ…に連通する吸込回路２１に接続される４つの常開型電磁開閉弁よりなる入口弁Ｖ１…が設けられる。また筐体１０の外部適所には、サイフォン式排水システムを運転操作するメインスイッチＳが設けられる。
【００２３】
筐体１０の左右側壁の外面には、吸込側および排水側の各４本のサクションホース２２…；２３…よりなる、４系統の接続ホースＨ…が２系統ずつ対称的に支持される。
【００２４】
筐体１０の左右両側壁の外面の前後方向に中央部には、接続ホースＨ…を支持する上下各一対の、合計４つの支持部材２６…が左右対称的に一体に設けられる。それらの支持部材２６…には、４つのジョイントパイプ２５…がそれぞれ一体に支持される。図４に示すように、左右各一対のジョイントパイプ２５、２５は、筐体１０の左右両側壁の外面に、上下方向に間隔をあけて左右対称的に設けられる。各ジョイントパイプ２５は、筐体１０の前後方向に沿って延びており、それらの前後開口端には、吸入側サクションホース２２の下流端および排水側サクションホース２３の上流端がそれぞれカムロック方式の接続金具Ｊ（従来公知）を介して取り外し可能に接続される。ジョイントパイプ２５の前後開口端には、前記接続金具Ｊの接続雄部Ｊｍがそれぞれ設けられ、また、吸入側サクションホース２２の下流端および排水側サクションホース２３の上流端には、前記接続金具Ｊの接続雌部Ｊｆがそれぞれ接続される。
【００２５】
而して、排水制御ユニットＵ１の筐体１０の左右側壁の外面には、吸込側および排水側の複数のサクションホース２２…；２３…よりなる４系統の接続ホースＨ…が、２系統ずつ対称的に支持されることにより、排水制御ユニットＵ１は、バランスよく４系統の接続ホースＨ…を支持することができる。
【００２６】
図２に示すように、４本のジョイントパイプ２５…は、前記吸込回路２１に接続される４つの常開型電磁開閉弁、すなわち入口弁Ｖ１…にそれぞれ連通接続されており、それらの入口弁Ｖ１…の開閉制御（前記制御盤１８からの制御信号）によれば、それら４本のジョイントパイプ２５…は、真空ポンプ１５の吸込口に連通され、また、その連通が絶たれるようにされる。
【００２７】
次に、図５、６を参照して、前記吸入部ユニットＵ２の構成について説明する。
【００２８】
吸入部ユニットＵ２は、ポータブル式であって、ヘリコプターなどの空輸手段により吊り下げケーブルにより吊り下げ輸送されて、天然ダム１の上流側の貯水池（湛水部）２に浮遊配置されるものであって、４組の吸入単体３０ａ…を一体に並列連結して直方体状に形成される吸入部本体３０と、この吸入部本体３０に連結される複数（５つ）のフロート３１とより構成されている。各吸入単体３０ａは、アルミ合金製の骨組３２の外周全面に、フィルタとして機能するメッシュ部材（金網）３３を張設して構成されている。また、前記５つのフロート３１…は、吸入部本体３０の前面および左右側面に、それぞれ取付けられ、これらのフロート３１…により吸入部ユニットＵ２は、貯水池２の貯水上に、略水平状態で浮遊するようにされている。４つの吸入単体３０ａ…には、吸込管３４…がそれぞれ取り付けられている。各吸込管３４は、エルボ状に湾曲形成されており、その入口側は、吸入単体３０ａ内に装入されて、その吸込口は下向き開口され、また、その出口側は、吸入単体３０ａの後面より後方（吸入水の流れ方向）に向けて延びており、その出口は、略水平に開口されている。４つの吸込管３４…の出口に設けられる接続金具Ｊの接続雌部Ｊｆには、吸入側サクションホース２２の入口が、そこに設けた接続金具Ｊの接続雄部Ｊｍを介して取り外し可能に接続される。
【００２９】
吸入部ユニットＵ２の吸入部本体３０には、可撓性の線条３５を介して水位検出センサＳ１が吊下連結されている。この水位検出センサＳ１は、吸入部ユニットＵ２の浮遊される貯水池２の水底に着地されて、貯水池２の水位を検出できるようにされており、その検出値は、信号線を通して前記排水制御ユニットＵ１の制御盤１８に送信されるようにされている。そして、水位検出センサＳ１により予め設定した、貯水池１の水位が検出されると、後に述べるように、４系統の接続ホースＨ…に吸込力を作用させ、これらの接続ホースＨ…に４本の吸込管３４を通して貯水が吸引される。
【００３０】
而して、４本の吸込管３４の吸込口は、フィルタとして機能するメッシュ部材３３により囲まれるので、粗大塵埃や流木などの異物を吸い込むことがない。また浮遊する吸入部ユニットＵ２は、水底の土砂を吸い込むことがない。
【００３１】
また、前記吸込部本体３０の上面には、この吸込部本体３０を吊り下げケーブルにより吊り下げてヘリコプターなどの空輸手段により空中輸送するための吊下具３６が設けられる。
【００３２】
次に、図７〜８を参照して、前記排水部ユニットＵ３の構成について説明する。
【００３３】
この排水部ユニットＵ３は、ポータブル式であって、天然ダム１の下流側の低地３に設置されるものであり、ＦＲＰ製の直方体の水槽４０を備え、この水槽４０の底部には、高さ調整可能な複数のベースジャッキ４１が設けられ、また、その上面には、排水部ユニットＵ３を吊り下げ、ケーブルにより吊り下げてヘリコプターなどの空輸手段により空中輸送するための吊下具４２が設けられる。水槽４０の前面下部には、４本の入口管４３…が、その左右方向に並列して固定されている。各入口管４３…の入口部は、水槽４０の前面から前方に延長されて、そこに、その入口管４３を開閉する電磁バタフライ弁よりなる吐出弁Ｖ２…がそれぞれ設けられており、また、その入口には、排水側サクションホース２３…を接続するための接続金具Ｊの接続雌部Ｊｆが設けられる。また、各入口管４３の出口部はエルボ状に上向きに湾曲されて、その出口が水槽４０内に開口している。また、水槽４０の後面上部には、５本の出口管４４が、その左右方向に並列して固定されている。各出口管４４の入口は、水槽４０内に開口され、また、その出口は外部に開口されて、その出口にカムロック方式の接続金具Ｊを介して吐出管４５が取り外し可能に接続される。出口管４４の出口には、前記接続金具Ｊの接続雌部Ｊｆが、吐出管４４の接続端には、その接続金具Ｊの接続雄部Ｊｍがそれぞれ設けられる。吐出管４５の吐出口は、外部に開放されている。そして、水槽４０内の貯水は、出口管４４…および吐出管４５…を通して、前記低地３の安全地域に直接放流するか、あるいは図示しない貯水槽に放流される。
【００３４】
４系統の接続ホースＨ…は、４本の可撓性の合成樹脂材よりなる、吸入側サクションホース２２…および排水側サクションホース２３…よりなり、それらのサクションホース２２…、２３…は、いずれも一定長さの複数のホース単体を、前記カムロック方式の接続金具Ｊを介して接続して構成されている。そして、それらのサクションホース２２、２３は、水面上に浮遊できるように、適宜フロートが連結される。
【００３５】
吸入側サクションホース２２…および排水側サクションホース２３…よりなる４系統の接続ホースＨ…は、前述したように、前記排水制御ユニットＵ１の４本のジョイントパイプ２５…によりバランスよく支持される。
【００３６】
つぎに、主に図１、９を参照して、この実施態様の作用を説明する。
【００３７】
(1) 天然ダム１の頂部に、前記排水制御ユニットＵ１を設置し、また、天然ダム１の上流側の貯水池２の貯水上に、前記吸入部ユニットＵ２を浮遊配置し、さらに、天然ダム１の下流側の低地３に排水部ユニットＵ３を設置する。
【００３８】
このとき、吸入部ユニットＵ２の吸込管３４の吸込口と、排水部ユニットＵ３の吐出管４５の吐出口との高低差ｈ（図１参照）は、サイフォン作用を成立させるために必要な水位差（たとえば４ｍないし８ｍ）を確保するようにする。
【００３９】
排水制御ユニットＵ１のメインスイッチＳを直接、または遠隔操作によりＯＮ作動すれば、本発明に係るサイフォン式排水システムは、自動的にシーケンス作動状態となる。
【００４０】
なお、吸入部ユニットＵ２の水位検出センサＳ１が水位を計測して、任意に設定された水位を検出すると、この検出信号により排水制御ユニットＵ１のメインスイッチＳが自動的にＯＮ作動するようにしてもよい。
【００４１】
(2) 吸入部ユニットＵ２の水位検出センサＳ１により検出された水位検出信号は、排水制御ユニットＵ１の制御盤１８に送られ、そこからの制御信号により、発動発電機１４を起動すると共に４つの常開型電磁開閉弁、すなわち入口弁Ｖ１…および排水部ユニットＵ３の常開型電磁バタフライ弁、すなわち吐出弁Ｖ２を共に閉弁作動する。
【００４２】
(3) 発動発電機１４により発電した電力により真空ポンプ１５が運転されたのち、４つの入口弁Ｖ１…が開弁作動され、真空ポンプ１５の吸込力は、負圧状態の吸込回路２１、ジョイントパイプ２５…を経て４系統の接続ホースＨ…に作用して、貯水池２上に浮遊する吸入部ユニットＵ２に吸引力を及ぼすに至り、４系統の接続ホースＨ…への貯水の吸入が開始され、また、吸込回路２１は、そこの残留するエアが排出されて吸入水により満たされる。
【００４３】
このとき、吸入部ユニットＵ２は、フロート３１…により浮遊されていることにより、水底の土砂を吸い込むことがなく、また吸込管３４…の吸込口は、メッシュ部材（金網）よりなるフィルタ３３…により囲まれていることにより、流木、粗大塵埃などの異物を吸い込むことがない。
【００４４】
(4) 吸込回路２１に接続される満水検知器１６の水位上昇により、満水検出センサＳ２がＯＮ作動されると、そのＯＮ信号は制御盤１８に送られ、該制御盤１８からの制御信号により、排水制御ユニットＵ１の４つの入口弁Ｖ１…が閉弁され、排水部ユニットＵ３の４つの吐出弁Ｖ２…が開弁される。これにより、接続ホースＨ…は、真空ポンプ１５との連通が絶たれると共に吐出管４５の吐出口が外部に開放されて、接続ホースＨ…に満たされた吸入水は、排水部ユニットＵ３の吐出管４５の吐出口より外部に放流され、以後、サイフォン作用の成立により、貯水池２の貯水を、接続ホースＨを通して低地３に連続自動的に排水することができる。そして、サイフォン作用の成立後は、発動発電機１４、真空ポンプ１５の作動を共に停止させる。
【００４５】
接続ホースＨ…に接続される図示しない圧力計にて、サイフォン状態の確認を行なう。      
【００４６】
吐出管４４の吐出口より外部に排出された排水は、下流側の河川などの安全地域に直接放流するか、あるいは図示しない貯水タンクに一旦貯留したのち、別の輸送手段で他所へ輸送する。
【００４７】
(5) 前記排水作用の継続により、貯水池２の貯水の水位が低下して、前記サイフォン作用が成立しなくなれば、前記排水作用は自動的に停止する。
【００４８】
(6) 降雨などにより、貯水池２の貯水の水位が再び上昇して、設定水位に達すれば、前記(2) 〜(4) の作動により排水作用を自動的に再開することができる。
【００４９】
以上、本発明の一実施態様について説明したが、本発明はその実施態様に限定されることなく、本発明の範囲内で種々の実施態様が可能である。
【００５０】
たとえば、前記実施態様では、排水制御ユニットＵ１の駆動源として発動発電機１４を用いた場合を説明したが、これに代えて蓄電池、その外、燃料を補給する必要のない他の駆動源を用いてもよい。
【符号の説明】
【００５１】
１・・・・・・天然ダム
２・・・・・・貯水池
３・・・・・・低地
１０・・・・・・筐体
１２・・・・・・吊下具
１４・・・・・・駆動源（発動発電機）
１５・・・・・・真空ポンプ
１６・・・・・・満水検知器
１８・・・・・・制御盤
２１・・・・・・吸込回路
２２・・・・・・吸入側サクションホース
２３・・・・・・排水側サクションホース
２５・・・・・・ジョイントパイプ
３１・・・・・・フロート
３３・・・・・・フィルタ（メッシュ部材、金網）
３６・・・・・・吊下具
４２・・・・・・吊下具
Ｈ・・・・・・・接続ホース
Ｊ・・・・・・・接続金具
Ｓ１・・・・・・水位検出センサ
Ｓ２・・・・・・満水検出センサ
Ｕ１・・・・・・排水制御ユニット
Ｕ２・・・・・・吸入部ユニット
Ｕ３・・・・・・排水部ユニット
Ｖ１・・・・・・入口弁（電磁開閉弁）
Ｖ２・・・・・・吐出弁（電磁バタフライ弁）
【図１】
2014163202.tif 000003
【図２】
2014163202.tif 000004
【図３】
2014163202.tif 000005
【図４】
2014163202.tif 000006
【図５】
2014163202.tif 000007
【図６】
2014163202.tif 000008
【図７】
2014163202.tif 000009
【図８】
2014163202.tif 000010
【図９】
2014163202.tif 000011